(57)【要約】      （修正有）【課題】高い高周波電送特性を有するプローブコネクタ及びその組み合わせを提供する。【解決手段】オス端プローブコネクタはオス端絶縁本体１０、オス端プローブ端子２０、及びオス端ケース３０を備え、オス端絶縁本体は台座１１及び台座の両側に形成される延伸ブロック１２を有し、台座には前表面から後ろに貫通するオス端プローブ端子溝１１１が開設され、オス端プローブ端子はオス端プローブ端子溝内に納置されると共に一端が絶縁本体の前表面から延出される。メス端プローブコネクタはメス端絶縁本体４０、メス端プローブ端子５０、及びメス端ケース６０を具備し、メス端絶縁本体は基体４１及び基体の両側に形成されるストッパー４２を有し、基体にはメス端絶縁本体の前後を貫通するメス端プローブ端子溝４１１が開設される。メス端プローブ端子はメス端プローブ端子溝内に納置され、メス端ケースは、上面壁６１、底面壁６２、及び２つの側面壁６３により挿入空間が形成され、メス端プローブ端子の前端が挿入空間に延出される。【選択図】図３
0003197532.tif 000002
【実用新案登録請求の範囲】
【請求項１】
オス端プローブコネクタ及びメス端プローブコネクタを備えるプローブコネクタの組み合わせであって、前記オス端プローブコネクタは、
台座及び台座の両側から外に向けて延伸されて形成される延伸ブロックを有し、台座の前表面から後ろに向けて貫通する複数のオス端プローブ端子溝が開設され、台座の後表面及び各オス端プローブ端子溝の外周から前に向けてプローブ溝を貫通させる挿入溝が開設され、且つ挿入溝の直径はオス端プローブ端子溝の直径より大きく、台座の下表面の後端には台座の後表面まで延伸される複数の係合溝がそれぞれ開設され、延伸ブロックのそれに近接する箇所には貫通して前後に延伸される固定溝が開設されるオス端絶縁本体と、
複数の第一プローブ及び複数の第二プローブで構成され、オス端プローブ端子溝内にそれぞれ納置されると共に一端が絶縁本体の前表面から延出される複数のオス端プローブ端子と、
絶縁本体外に被覆され、且つ上面板、底板、及び２枚の側板を有し、上面板及び底板の後端縁の両側からそれぞれ下に向けて湾曲して延伸される係合板が形成され、２枚の側板の前端縁の中部から前に向けて延伸されて固定板がそれぞれ形成され、係合板が係合溝内に係合され、固定板が固定溝内に固持されるオス端ケースとを更に備え、
また、前記メス端プローブコネクタは、
基体及び基体の両側から外に向けて延伸されて形成されるストッパーを有し、基体の前から後に向けてメス端絶縁本体の前後を貫通させるメス端プローブ端子溝が開設され、基体の下表面の後端箇所には基体の後表面まで延伸される複数の係止溝が開設され、且つ基体の下表面の中部にはバンプが形成されて凸設され、バンプには前後の表面を貫通させる固持溝が開設されるメス端絶縁本体と、
メス端プローブ端子溝内に納置される複数のメス端プローブ端子と、
上面壁、底面壁、及び２つの側面壁を有し、上面壁、底面壁、及び２つの側面壁の前端により包囲されて挿入空間が形成され、上面壁及び底面壁には挿入空間内に向けて打ち抜かれて複数の挟持板がそれぞれ形成され、底面壁の後端の中部には退避溝が開設され、退避溝の前側溝縁には後ろに向けて延伸される固持板が形成され、２つの側面壁の後端には前に向けて底面壁まで延伸される挟持溝がそれぞれ開設され、挟持板が係止溝内に係止され、バンプが退避溝内に係合されると共に固持板が固持溝内に固持され、ストッパーが挟持溝に延出され、複数のメス端プローブ端子の前端が挿入空間に延出されるメス端ケースとを更に含み、
ここでは、オス端プローブコネクタ及びメス端プローブコネクタの挿入時に、メス端プローブ端子が挿入溝内に挿入されてオス端プローブ端子に胴付きされ、オス端プローブコネクタの後端がメス端プローブコネクタの挿入空間内に挿入されることを特徴とするプローブコネクタの組み合わせ。
【請求項２】
台座及び台座の両側から外に向けて延伸されて形成される延伸ブロックを有し、台座の前表面から後ろに向けて貫通する複数のオス端プローブ端子溝が開設され、台座の後表面及び各オス端プローブ端子溝の外周には前に向けてプローブ溝に貫通される挿入溝が開設され、且つ挿入溝の直径はオス端プローブ端子溝の直径より大きく、台座の下表面の後端には台座の後表面まで延伸される複数の係合溝がそれぞれ開設され、延伸ブロックのそれに近接する箇所には前後に延伸される固定溝が貫通して開設されるオス端絶縁本体と、
複数の第一プローブ及び複数の第二プローブで構成され、プローブはオス端プローブ端子溝内にそれぞれ納置されると共に一端が絶縁本体の前表面から延出される複数のオス端プローブ端子と、
絶縁本体外に被覆され、上面板、底板、及び２枚の側板を有し、上面板及び底板の後端縁の両側には下に向けて湾曲されて延伸される係合板がそれぞれ形成され、２枚の側板の前端縁の中部には前に向けて延伸される固定板がそれぞれ形成され、係合板が係合溝内に係合され、固定板が固定溝内に固持されるオス端ケースとを備えることを特徴とするオス端プローブコネクタ。
【請求項３】
基体及び基体の両側から外に向けて延伸されて形成されるストッパーを有し、基体の前から後ろに向けてメス端絶縁本体の前後を貫通させるメス端プローブ端子溝が開設され、基体の下表面の後端の箇所には基体の後表面まで延伸される複数の係止溝が開設され、基体の下表面の中部にはバンプが形成されて凸設され、バンプにはその前後の表面を貫通させる固持溝が開設されるメス端絶縁本体と、
メス端プローブ端子溝内に納置される複数のメス端プローブ端子と、
上面壁、底面壁、及び２つの側面壁を有し、上面壁、底面壁、及び２つの側面壁の前端により包囲されて挿入空間が形成され、上面壁及び底面壁には挿入空間内に向けて打ち抜かれて複数の挟持板がそれぞれ形成され、底面壁の後端の中部には退避溝が開設され、退避溝の前側溝縁には後ろに向けて延伸されて固持板が形成され、２つの側面壁の後端には前に向けて底面壁まで延伸される挟持溝がそれぞれ開設され、挟持板が係止溝内に係止され、バンプが退避溝内に係合されると共に固持板が固持溝内に固持され、ストッパーが挟持溝に延出され、複数のメス端プローブ端子の前端が挿入空間に延出されるメス端ケースとを備えることを特徴とするメス端プローブコネクタ。
【考案の詳細な説明】
【技術分野】
【０００１】
本考案は、コネクタに関し、より詳しくは、プローブコネクタ及びその組み合わせに関する。
【背景技術】
【０００２】
科学技術の不断の発展に伴い、電子製品もより複雑になり、機能面での要求も高まっている。
【考案の概要】
【考案が解決しようとする課題】
【０００３】
しかしながら、前述した従来のコネクタ技術では、コネクタの性能及び信頼性にも更に高く、より新しい基準が求められた。例えば、コネクタの長寿命化、耐干渉性、高速伝送等にも高周波伝送のプローブコネクタによる高い伝送速度(Data Rate)が求められ、製品の応用範囲を広げ、利便性を高める必要があった。
【０００４】
そこで、本考案者は上記の高周波伝送プローブコネクタの欠点が改善可能と考え、鋭意検討を重ねた結果、合理的設計で上記の課題を効果的に改善する本考案の提案に到った。
【０００５】
本考案は、以上の実情に鑑みなされたものであって、上記課題解決のため、本考案は、プローブコネクタ及びその組み合わせを提供することを主目的とする。即ち、高周波伝送機能を実現させる。
【課題を解決するための手段】
【０００６】
上述した課題を解決し、目的を達成するために、本考案に係るプローブコネクタの組み合わせは、オス端プローブコネクタ及びメス端プローブコネクタを備え、前記オス端プローブコネクタは、
台座及び台座の両側から外に向けて延伸されて形成される延伸ブロックを有し、台座の前表面から後ろに向けて貫通する複数のオス端プローブ端子溝が開設され、台座の後表面及び各オス端プローブ端子溝の外周から前に向けてプローブ溝を貫通させる挿入溝が開設され、且つ挿入溝の直径はオス端プローブ端子溝の直径より大きく、台座の下表面の後端には台座の後表面まで延伸される複数の係合溝がそれぞれ開設され、延伸ブロックのそれに近接する箇所には貫通して前後に延伸される固定溝が開設されるオス端絶縁本体と、
複数の第一プローブ及び複数の第二プローブで構成され、オス端プローブ端子溝内にそれぞれ納置されると共に一端が絶縁本体の前表面から延出される複数のオス端プローブ端子と、
絶縁本体外に被覆され、且つ上面板、底板、及び２枚の側板を有し、上面板及び底板の後端縁の両側からそれぞれ下に向けて湾曲して延伸される係合板が形成され、２枚の側板の前端縁の中部から前に向けて延伸されて固定板がそれぞれ形成され、係合板が係合溝内に係合され、固定板が固定溝内に固持されるオス端ケースとを更に備え、
また、前記メス端プローブコネクタは、
基体及び基体の両側から外に向けて延伸されて形成されるストッパーを有し、基体の前から後に向けてメス端絶縁本体の前後を貫通させるメス端プローブ端子溝が開設され、基体の下表面の後端箇所には基体の後表面まで延伸される複数の係止溝が開設され、且つ基体の下表面の中部にはバンプが形成されて凸設され、バンプには前後の表面を貫通させる固持溝が開設されるメス端絶縁本体と、
メス端プローブ端子溝内に納置される複数のメス端プローブ端子と、
上面壁、底面壁、及び２つの側面壁を有し、上面壁、底面壁、及び２つの側面壁の前端により包囲されて挿入空間が形成され、上面壁及び底面壁には挿入空間内に向けて打ち抜かれて複数の挟持板がそれぞれ形成され、底面壁の後端の中部には退避溝が開設され、退避溝の前側溝縁には後ろに向けて延伸される固持板が形成され、２つの側面壁の後端には前に向けて底面壁まで延伸される挟持溝がそれぞれ開設され、挟持板が係止溝内に係止され、バンプが退避溝内に係合されると共に固持板が固持溝内に固持され、ストッパーが挟持溝に延出され、複数のメス端プローブ端子の前端が挿入空間に延出されるメス端ケースとを更に含み、
ここでは、オス端プローブコネクタ及びメス端プローブコネクタの挿入時に、メス端プローブ端子が挿入溝内に挿入されてオス端プローブ端子に胴付きされ、オス端プローブコネクタの後端がメス端プローブコネクタの挿入空間内に挿入されることを特徴とする。
【０００７】
また、上記目的を達成するために、本考案に係るオス端プローブコネクタは、
台座及び台座の両側から外に向けて延伸されて形成される延伸ブロックを有し、台座の前表面から後ろに向けて貫通する複数のオス端プローブ端子溝が開設され、台座の後表面及び各オス端プローブ端子溝の外周には前に向けてプローブ溝に貫通される挿入溝が開設され、且つ挿入溝の直径はオス端プローブ端子溝の直径より大きく、台座の下表面の後端には台座の後表面まで延伸される複数の係合溝がそれぞれ開設され、延伸ブロックのそれに近接する箇所には前後に延伸される固定溝が貫通して開設されるオス端絶縁本体と、
複数の第一プローブ及び複数の第二プローブで構成され、プローブはオス端プローブ端子溝内にそれぞれ納置されると共に一端が絶縁本体の前表面から延出される複数のオス端プローブ端子と、
絶縁本体外に被覆され、上面板、底板、及び２枚の側板を有し、上面板及び底板の後端縁の両側には下に向けて湾曲されて延伸される係合板がそれぞれ形成され、２枚の側板の前端縁の中部には前に向けて延伸される固定板がそれぞれ形成され、係合板が係合溝内に係合され、固定板が固定溝内に固持されるオス端ケースとを備えることを特徴とする。
【０００８】
さらに、上記目的を達成するために、本考案に係るメス端プローブコネクタは、
基体及び基体の両側から外に向けて延伸されて形成されるストッパーを有し、基体の前から後ろに向けてメス端絶縁本体の前後を貫通させるメス端プローブ端子溝が開設され、基体の下表面の後端の箇所には基体の後表面まで延伸される複数の係止溝が開設され、基体の下表面の中部にはバンプが形成されて凸設され、バンプにはその前後の表面を貫通させる固持溝が開設されるメス端絶縁本体と、
メス端プローブ端子溝内に納置される複数のメス端プローブ端子と、
上面壁、底面壁、及び２つの側面壁を有し、上面壁、底面壁、及び２つの側面壁の前端により包囲されて挿入空間が形成され、上面壁及び底面壁には挿入空間内に向けて打ち抜かれて複数の挟持板がそれぞれ形成され、底面壁の後端の中部には退避溝が開設され、退避溝の前側溝縁には後ろに向けて延伸されて固持板が形成され、２つの側面壁の後端には前に向けて底面壁まで延伸される挟持溝がそれぞれ開設され、挟持板が係止溝内に係止され、バンプが退避溝内に係合されると共に固持板が固持溝内に固持され、ストッパーが挟持溝に延出され、複数のメス端プローブ端子の前端が挿入空間に延出されるメス端ケースとを備えることを特徴とする。
【考案の効果】
【０００９】
本考案のプローブコネクタ及びその組み合わせは、プローブコネクタを組み合わせたものであり、オス端プローブコネクタ及びメス端プローブコネクタを備える。前記オス端プローブコネクタは、オス端絶縁本体、複数のオス端プローブ端子、及びオス端ケースを含み、且つオス端絶縁本体は台座を有し、台座の前表面から後ろに向けて貫通される複数のオス端プローブ端子溝が開設され、台座の後表面及び各オス端プローブ端子溝の外周には前に向けてオス端プローブ端子溝を貫通させる挿入溝が開設される。前記メス端プローブコネクタはメス端絶縁本体、複数のメス端プローブ端子、及びメス端ケースを備え、且つメス端ケースは上面壁、底面壁、及び２つの側面壁を有し、上面壁、底面壁、及び２つの側面壁の前端により包囲される挿入空間が形成される。オス端プローブコネクタ及びメス端プローブコネクタの挿入時には、メス端プローブ端子が挿入溝内に挿入されてオス端プローブ端子に胴付きされ、オス端プローブコネクタの後端がメス端プローブコネクタの挿入空間内に挿入される。これにより、プローブコネクタ及びその組み合わせの高周波伝送機能を実現させる。
【図面の簡単な説明】
【００１０】
【図１】本考案の第１実施形態によるプローブコネクタ及びその組み合わせを示す外観斜視図である。
【図２】図１に示すプローブコネクタ及びその組み合わせを示す部分の展開図である。
【図３】図１に示すプローブコネクタ及びその組み合わせを示す展開図である。
【図４】図１に示すプローブコネクタ及びその組み合わせを他の角度から見た展開図である。
【図５】図１に示すプローブコネクタ及びその組み合わせの高速信号が発信端差動インピーダンスシミュレーション値(Rise-time = 50ps)に対するグラフを示す。
【図６】図１に示すプローブコネクタ及びその組み合わせの高速信号が受信端差動インピーダンスシミュレーション値(Rise-time = 50ps)に対するグラフを示す。
【図７】低速信号が差動インピーダンスシミュレーション値(Rise-time =400ps)に対するグラフを示す。
【考案を実施するための形態】
【００１１】
以下に図面を参照して、本考案を実施するための形態について、詳細に説明する。なお、本考案は、以下に説明する実施形態に限定されるものではない。
【００１２】
＜第１実施形態＞
以下、本考案の実施形態について、図１〜７を参照しながら説明する。まず、本考案に係るプローブコネクタの組み合わせは、オス端プローブコネクタ１００及びメス端プローブコネクタ２００を備える（図１及び図２参照）。前記オス端プローブコネクタ１００はオス端絶縁本体１０、複数のオス端プローブ端子２０、及びオス端ケース３０を具備する。前記メス端プローブコネクタ２００は、メス端絶縁本体４０、複数のメス端プローブ端子５０、及びメス端ケース６０を含む。
【００１３】
図３及び図４に示すように、前記オス端絶縁本体１０は矩形状の台座１１、及び台座１１の両側から外に向けて延伸されて形成される延伸ブロック１２を有し、台座１１には前表面から後ろに向けて貫通される複数のオス端プローブ端子溝１１１が開設され、台座１１の後表面及び各オス端プローブ端子溝１１１の外周には前に向けてオス端プローブ端子溝１１１に貫通される挿入溝１１２が開設され、挿入溝１１２の直径はオス端プローブ端子溝１１１の直径より大きい。台座１１の下表面の後端には台座１１の後表面まで延伸される複数の係合溝１１３がそれぞれ開設され、延伸ブロック１２のオス端絶縁本体１０に近接する箇所には前後に延伸される固定溝１２１が貫通して開設される。
【００１４】
なお、上述の複数のオス端プローブ端子２０は複数の第一プローブ２１及び複数の第二プローブ２２を備える。オス端プローブ端子２０はオス端プローブ端子溝１１１内にそれぞれ納置されると共に一端が絶縁本体１０の前表面から延出される。
【００１５】
前述のオス端ケース３０は絶縁本体１０外に被覆され、オス端ケース３０は上面板３１、底板３２、及び２枚の側板３３を有する。上面板３１及び底板３２の後端縁の両側にはそれぞれ下に向けて湾曲されて延伸される係合板３１１が形成され、２枚の側板３３の前端縁の中部にはそれぞれ前に向けて延伸される固定板３３１が形成される。係合板３１１が係合溝１１３内に係合され、固定板３３１が固定溝１２１内に固持される。
【００１６】
前記のメス端絶縁本体４０は矩形状の基体４１及び基体４１の両側から外に向けて延伸されて形成されるストッパー４２を有する（図３及び図４参照）。基体４１には前から後ろに向けてメス端絶縁本体４０の前後を貫通させるメス端プローブ端子溝４１１が開設され、基体４１の下表面の後端箇所には基体４１の後表面まで延伸される複数の係止溝４１２が開設され、基体４１の下表面の中部にはバンプ４１３が形成されて凸設される。バンプ４１３にはその前後の表面を貫通させる固持溝４１４が開設される。
【００１７】
上述の複数のメス端プローブ端子５０はメス端プローブ端子溝４１１内に納置される。なお、前記メス端ケース６０は上面壁６１、底面壁６２、及び２つの側面壁６３を有し、上面壁６１、底面壁６２、及び２つの側面壁６３の前端により包囲されて挿入空間６４が形成される（図２参照）。上面壁６１及び底面壁６２にはそれぞれ挿入空間６４内に向けて打ち抜かれる複数の挟持板６１１が形成され、底面壁６２の後端の中部には退避溝６２１が開設され、退避溝６２１の前側溝縁には後ろに向けて延伸される固持板６２２が形成され、２つの側面壁６３の後端には前に向けて底面壁６２まで延伸される挟持溝６３１がそれぞれ開設される。挟持板６１１が係止溝４１２内に係止され、バンプ４１３が退避溝６２１内に係合されると共に固持板６２２が固持溝４１４内に固持される。ストッパー４２が挟持溝６３１に延出され、複数のメス端プローブ端子５０の前端が挿入空間６４に延出される。
【００１８】
オス端プローブコネクタ１００及びメス端プローブコネクタ２００の挿入時には、メス端プローブ端子５０が挿入溝１１２内に挿入されると共にオス端プローブ端子２０に胴付きされ、オス端プローブコネクタ１００の後端がメス端プローブコネクタ２００の挿入空間６４内に挿入される。これにより、プローブコネクタ及びその組み合わせの高周波伝送機能を実現させ、シミュレーション結果は図５乃至図７に図示する。
【００１９】
以上のとおり、本考案に係るプローブコネクタ及びその組み合わせは、プローブコネクタの組み合わせであり、オス端プローブコネクタ１００及びメス端プローブコネクタ２００を備える。前記オス端プローブコネクタ１００はオス端絶縁本体１０、複数のオス端プローブ端子２０、及びオス端ケース３０を具備し、オス端絶縁本体１０は台座１１、台座１１の前表面から後ろに向けて貫通されて開設される複数のオス端プローブ端子溝１１１を有し、台座１１の後表面及び各オス端プローブ端子溝１１１の外周には前に向けてオス端プローブ端子溝１１１に貫通される挿入溝１１２が開設され、挿入溝１１２の直径がオス端プローブ端子溝１１１の直径より大きい。上述のメス端プローブコネクタ２００はメス端絶縁本体４０、複数のメス端プローブ端子５０、及びメス端ケース６０を含み、メス端ケース６０は上面壁６１、底面壁６２、及び２つの側面壁６３を有し、上面壁６１、底面壁６２、及び２つの側面壁６３の前端により包囲される挿入空間６４が形成される。オス端プローブコネクタ１００及びメス端プローブコネクタ２００の挿入時には、メス端プローブ端子５０が挿入溝１１２内に挿入されると共にオス端プローブ端子２０に胴付きされ、オス端プローブコネクタ１００の後端がメス端プローブコネクタ２００の挿入空間６４内に挿入される。これにより、プローブコネクタ及びその組み合わせの高周波伝送機能を実現させる。
【００２０】
なお、本考案は前述した実施の形態のみに限定されるものではなく、本考案の要旨を逸脱しない範囲において種々の変更が可能であることは勿論である。
【符号の説明】
【００２１】
１００  オス端プローブコネクタ
２００  メス端プローブコネクタ
１０    絶縁本体
１１    台座
１１１  オス端プローブ端子溝
１１２  挿入溝
１１３  係合溝
１２    延伸ブロック
１２１  固定溝
２０    オス端プローブ端子
２１    第一プローブ
２２    第二プローブ
３０    オス端ケース
３１    上面板
３１１  係合板
３２    底板
３３    側板
３３１  固定板
４０    メス端絶縁本体
４１    基体
４１１  メス端プローブ端子溝
４１２  係止溝
４１３  バンプ
４１４  固持溝
４２    ストッパー
５０    メス端プローブ端子
６０    メス端ケース
６１    上面壁
６１１  挟持板
６２    底面壁
６２１  退避溝
６２２  固持板
６３    側面壁
６３１  挟持溝
６４    挿入空間
【図１】
0003197532.tif 000003
【図２】
0003197532.tif 000004
【図３】
0003197532.tif 000005
【図４】
0003197532.tif 000006
【図５】
0003197532.tif 000007
【図６】
0003197532.tif 000008
【図７】
0003197532.tif 000009